(57)【要約】  複合コンピュータ・メディア・プレーヤおよびコンピュータ・コントローラが、開示される。本装置は、主要ハウジング上のメディア制御部と、主要ハウジングの中のプロセッサとを有する主要ハウジングを含んでいる。マス・ストレージ・デバイスをプロセッサに接続するための入力ポートがあり、それによりプロセッサは、その上のメディア・ファイルに対してアクセスできる。光ディスク・リーダがハウジングの中に配置され、プロセッサに接続され、それによりプロセッサは、その上のメディア・ファイルに対してアクセスできる。メディア・ファイルは、メディア制御部によって再生可能であり、制御可能であり、混合可能であり、そして修正可能である。本装置は、プロセッサに接続されて、リッスンし、または閲覧するためのメディア・ファイルを出力する、主要ハウジング上のメディア出力ポートをさらに含んでいる。本装置をコンピュータに接続するための入力ポートが含まれ、それにより本装置は、その上で実行されるソフトウェアを制御することができる。
2009531809.tif 000002
【特許請求の範囲】
【請求項１】
上にメディア制御部を有する主要ハウジングと、
プロセッサと、
前記主要ハウジングの中の前記プロセッサに対してマス・ストレージ・デバイスを接続するための入力ポートであって、それにより前記プロセッサは、その上のメディア・ファイルにアクセスできる、入力ポートと、
前記ハウジングの中に配置され、前記プロセッサに接続される光ディスク・リーダであって、それにより前記プロセッサは、その上のメディア・ファイルにアクセスできる、光ディスク・リーダと、
前記メディア制御部によって再生可能であり、制御可能であり、混合可能であり、修正可能である前記メディア・ファイルと、
リッスンし、または閲覧するためのメディア・ファイルを出力する、前記主要ハウジング上の、そして前記プロセッサに接続されるメディア出力ポートと、
装置をコンピュータに接続するための入力ポートであって、それにより装置は、その上で実行されるソフトウェアを制御することができる、入力ポートと
を備える複合コンピュータ・メディア・プレーヤおよびコンピュータ・コントローラ。
【請求項２】
デジタル効果を前記メディア・ファイルに適用するための内側部分および外側部分を有するジョグ・ホイールと、
前記外側部分から別々に回転可能である前記内側部分と、
前記内側部分から別々に回転可能である前記外側部分と
をさらに備える、請求項１に記載の装置。
【請求項３】
前記デジタル効果は、キューイングと、スクラッチングと、サーチングと、ピッチ・ベンドとから成る群から選択される、請求項２に記載の装置。
【請求項４】
前記装置のステータスおよびオペレーションを指し示す複数のインディシアを有するディスプレイをさらに備える、請求項１に記載の装置。
【請求項５】
前記入力ポートは、ＵＳＢポートであり、装置は、ＵＳＢヒューマン・インターフェース・デバイス・プロトコルを経由してコンピュータに接続する、請求項１に記載の装置。
【請求項６】
前記入力ポートは、シリアル・ポートであり、装置は、ＭＩＤＩプロトコルを経由してコンピュータに接続する、請求項１に記載の装置。
【請求項７】
前記メディア出力ポートを介して出力について選択される前記メディア・ファイルにデジタル効果を適用するための特別な効果セレクタをさらに備える、請求項１に記載の装置。
【請求項８】
前記デジタル効果は、分離フィルタ、エコー、チョップ、パン、フェイザー、およびフランジャから成る群から選択される、請求項７に記載の装置。
【請求項９】
追加のホット・キュー・ポイントをループさせ、設定し、そしてメディア・サンプルを記録し、プレーバックするための複数のユーザ設定可能なトリガ・ボタンをさらに備える、請求項１に記載の装置。
【請求項１０】
３つのユーザ設定可能なトリガ・ボタンが存在する、請求項９に記載の装置。
【請求項１１】
上にメディア制御部を有する主要ハウジングと、
プロセッサと、
前記主要ハウジングの中の前記プロセッサに対してマス・ストレージ・デバイスを接続するための入力ポートであって、それにより前記プロセッサは、その上のメディア・ファイルにアクセスできる、入力ポートと、
前記ハウジングの中に配置され、前記プロセッサに接続される光ディスク・リーダであって、それにより前記プロセッサは、その上のメディア・ファイルにアクセスできる、光ディスク・リーダと、
前記メディア制御部によって再生可能であり、制御可能であり、混合可能であり、修正可能である前記メディア・ファイルと、
デジタル効果を前記メディア・ファイルに適用するためのジョグ・ホイール、デジタル効果を前記メディア・ファイルに適用するための特別な効果セレクタ、および追加のホット・キュー・ポイントをループさせ、設定し、そしてメディア・サンプルを記録しプレーバックするための複数のユーザ設定可能なトリガ・ボタンを含む前記メディア制御部と、
リッスンし、または閲覧するためのメディア・ファイルを出力する、前記主要ハウジング上の、そして前記プロセッサに接続されるメディア出力ポートと、
装置をコンピュータに接続するための入力ポートであって、それにより装置は、ＵＳＢヒューマン・インターフェース・デバイス・プロトコルを経由してその上で実行されるソフトウェアを制御することができる、入力ポートと
を備える複合コンピュータ・メディア・プレーヤおよびコンピュータ・コントローラ。
【請求項１２】
前記ジョグ・ホイールは、内側部分および外側部分を含み、
前記内側部分は、前記外側部分から別々に回転可能であり、
前記外側部分は、前記内側部分から別々に回転可能である、請求項１１に記載の装置。
【請求項１３】
前記デジタル効果は、キューイング、スクラッチング、サーチング、およびピッチ・ベンドから成る群から選択される、請求項１２に記載の装置。
【請求項１４】
前記装置のステータスおよびオペレーションを指し示す複数のインディシアを有するディスプレイをさらに備える、請求項１１に記載の装置。
【請求項１５】
前記デジタル効果は、分離フィルタ、エコー、チョップ、パン、フェイザー、およびフランジャから成る群から選択される、請求項１１に記載の装置。
【請求項１６】
３つのユーザ設定可能なトリガ・ボタンが存在する、請求項１１に記載の装置。
【発明の詳細な説明】
【技術分野】
【０００１】
本発明は、メディア・プレーヤと、他のデバイス、すなわちコンピュータおよびその上にロードされたソフトウェアを制御するためのコントローラに関する。とりわけ、本発明は、ユーザのニーズに応じて様々なモードで動作することができる複合メディア・プレーヤ・デバイスおよびコンピュータ・コントローラ・デバイスに関する。
【背景技術】
【０００２】
先行技術においては、様々なデバイスを使用して、オーディオ・ファイルやビデオ・ファイルなどのメディア・ファイルを再生し、制御することが、よく知られている。例えば、そのようなメディアは、ターンテーブルまたはＶＣＲが使用される場合におけるアナログのやり方で再生することができる。しかしながら、今日では、そのようなメディア・ファイルは、一般的にデジタル形式で記憶され、再生される。本開示は、オーディオ・ファイルに関連して対処されることになるが、本発明を使用して、適切な修正を伴うビデオ・ファイルを再生することができることを理解すべきである。
【０００３】
デジタル・ファイルは、一般に光メディア（例えば、ＣＤ）と、ハード・ドライブと、ＲＡＭと、他のデジタル・メディア上に記憶される。ユーザ、とりわけディスク・ジョッキーは、どのようにしてこれらのファイルを管理し、再生することができるかについての特定のニーズを有する。最も重要なことに、ディスク・ジョッキーは、どのようにしてこれらのファイルを再生し、管理することができるかにおける柔軟性を必要とする。
【０００４】
前述のことを考慮して、任意の形態のデジタル・ファイルを再生し、管理することができるメディア・プレーヤおよびコントローラについての必要性が存在する。光ディスク上に記憶されるデジタル・ファイルにアクセスし、再生し、修正する（例えば、デジタル的にスクラッチする）ことができるメディア・デバイスについての必要性が存在する。マス・ストレージ・クラス・デバイス・モードで機能することができる外付けハード・ドライブ、ＲＡＭデバイス、ポータブル・メディア・プレーヤなど、マス・ストレージ・クラス・デバイス上に記憶されるデジタル・ファイルにアクセスし、再生し、修正する（例えば、デジタル的にスクラッチする）ことができるメディア・デバイスについての必要性が存在する。それに接続されたコンピュータ上に記憶されるデジタル・ファイルにアクセスし、再生し、修正する（例えば、デジタル的にスクラッチする）ことができるメディア・デバイス、ならびにその上のメディアを制御するコンピュータ上の制御ソフトウェアについてのさらなる必要性も存在する。
【発明の開示】
【発明が解決しようとする課題】
【０００５】
本発明の装置は、先行技術のデバイスよりもより柔軟であり、機能的である、新しい新規の複合メディア・プレーヤおよびコンピュータ・コントローラを提供する。さらに、本発明の装置は、ミキシング、等化、デジタル・スクラッチング、他などによる再生された信号を修正する能力を含んでいる。
【課題を解決するための手段】
【０００６】
第１に、本発明の装置は、光ディスク（ＣＤ）を再生することができる。その受信のためのスロットが、提供され、ここでは、オーディオＣＤ、ならびに例えばｍｐ３、ｗｍａ、ａａｃ、ｏｇｇなど、その上に符号化されたファイルを有するデータＣＤを読み取ることができる内部ＣＤプレーヤが提供される。詳細な説明は、光ＣＤから読み取られるオーディオの完全制御と再生に関する追加の詳細を含んでいる。大きな中央ホイールは、再生信号の制御およびスクラッチングのために使用することができる。制御の完全な特徴の組については、詳細な説明の中で詳細に論じられる。
【０００７】
第２に、マス・ストレージ・クラス・モードで動作する外付けハード・ドライブやポータブル・メディア・プレーヤなどのマス・ストレージ・クラス・デバイスは、本装置に接続することができ、その結果、本装置は、取り付けられたマス・ストレージ・クラス・デバイス上に記憶されるメディア・ファイルに対するアクセスを獲得することができる。この場合においては、以上と同様に本装置は、そのデジタル・スクラッチング、ミキシング、およびサウンド強調を含めて、その上のファイルを再生し、修正し、そして管理することができる。
【０００８】
さらにまた、本発明の装置は、別のデバイスについてのコントローラとして、動作することができる。例えば、本装置は、適切なＰＣドライバを有するＵＳＢ相互接続、ＩＥＥＥ−１３９４相互接続、または他の相互接続を経由してＰＣなどのコンピュータ上のソフトウェアを制御するＭＩＤＩコントローラとして動作することができる。ＭＩＤＩ制御データは、その上で実行されるソフトウェアによる使用のためにＰＣのＩ／Ｏサブシステムに対して直接にこれらのプロトコルによって送信することができる。このモードで使用されるときに、本装置は、その上で実行される与えられたソフトウェア・アプリケーションのためにＰＣ上のキーボード・アクションとマウス・アクションとを置き換えることができる。例えば、ディスク・ジョッキーまたはデジタル・オーディオ・ワークステーションＤＡＷソフトウェア・アプリケーションは、メディア・ファイルを再生し、管理し、そして修正するＰＣ上で実行することができる。これらのソフトウェア・アプリケーションの多くは、トランスポート制御部と、コンピュータ上で、あるいはそれに接続されたストレージ・デバイス上で使用可能なファイルをデジタル的にスクラッチする能力とを含んでいる。一例として、中央ホイールを使用して、ＤＡＷによって制御されているメディア・ファイルをデジタル的にスクラッチすることができる。そのようなオペレーションは、マウスまたはキーボードで効果的に実行することが事実上不可能である。また、ＤＡＷアプリケーションにロードされる与えられたトラックにおけるキュー・ロケーションを制御する要望が存在する可能性もある。本発明の装置の中央制御ホイールを使用して、現在のトラックにおけるキューまたは現在のタイム・ポイントを簡単に移動させることができる。これは、この目的のためには不便なマウスまたはキーボードを使用することに対する代替案である。
【０００９】
本発明のこれらおよび他の特徴、態様および利点は、以下の説明、添付の特許請求の範囲、および添付図面を参照してよりよく理解されるようになるであろう。
【発明を実施するための最良の形態】
【００１０】
図１を参照すると、本発明の複合メディア・プレーヤおよびコンピュータ・コントローラの好ましい実施形態が、１０に全体的に示されている。本発明の複合メディア・プレーヤおよびコンピュータ・コントローラ１０は、上面１４と、フロント・パネル１６と、リヤ・パネル１８とを有するハウジング１２を含んでいる。ハウジング１２の上面１４は、一般に複合メディア・プレーヤ１０およびディスプレイ画面２０を動作させるためのすべての制御部を含んでいる。リヤ・パネル１８上において、複合メディア・パネルは、複合メディア・プレーヤ１０が、パーソナル・コンピュータと、他のディスク・ジョッキーのオーディオ・デバイスおよびビジュアル・デバイス（図示されず）とに接続されることを可能にする様々な入出力コネクタのすべてを含んでいる。図３において最もよく見られる、複合メディア・プレーヤ１０のフロント・パネル１６は、ＣＤディスクやＤＶＤディスクなどの光メディアについてのスロット・ローディング光ドライブ２２を含むことが好ましい。
【００１１】
次に図２を参照すると、複合メディア・プレーヤ１０のハウジング１２の上面１４上に、ＬＣＤディスプレイ２０があり、このＬＣＤディスプレイは、複合メディア・プレーヤ１０のオペレーションに関連したすべてのステータス情報とファンクションを表示する。例えば、ＣＤテキスト（使用可能な場合）と、ＩＤ３タグ情報と、効果設定は、すべてここで示されている。
【００１２】
ハウジングの上面のおおよそ中央には、大きなジョグ・ホイール２４が目立つように配置されている。ジョグ・ホイール２４は、互いに別々に移動可能な内側部分２６と外側部分２８とを含んでいる。ホイール２４の内側部分２６は、スクラッチし、キューし、そしてメディア・トラックを介してサーチするために使用することができる。ホイール２４の外側部分２８を使用して、一時的ピッチ・ベンド効果を選択されたメディア・トラックに対して適用することができる。
【００１３】
ジョグ・ホイール２４に隣接して、再生制御部３０がある。再生制御部３０は、複合メディア・プレーヤ１０を呼び出して、選択されたメディア・トラックを再生することを開始する。再生制御部３０のアクティブ化のすぐ後に、メディア・トラックは、キュー・ポイントまたは一時停止の最後のポイントのいずれかから再生を開始することになる。複合メディア・プレーヤ１０が再生している間に再生制御部３０をアクティブにすることは、最後に設定されたキュー・ポイントからメディア・トラックを再開することになり、このキュー・ポイントを使用して、「スタッタ」効果を生成することができる。
【００１４】
一時停止制御部３２が、さらに含まれている。一時停止制御部３２は、再生中にメディア・トラックを再生することを停止させる。一時停止制御部３２のアクティブ化に追随して再生制御部３０をアクティブにすることは、新しいキュー・ポイントを設定する。ジョグ・ホイール２４を使用してスクラッチまたはスタッタリングの効果をメディア・トラックに対して適用しながら一時停止制御部３２をアクティブにすること、およびホールドすることは、現在のポジションでメディア・トラックを停止させ、ディスク・ジョッキーがループ・インまたはキュー・ポイントを取り込むことを可能にする。
【００１５】
キュー制御部３４が、さらに含まれている。キュー制御部３４は、最後に設定されたキュー・ポイントにメディア・トラックを戻し、一時停止させる。キュー・ポイントは、複合メディア・プレーヤ１０が、一時停止させられ、次いで再生制御部３０が、アクティブにさせられた最後の場所である。キュー制御部３４を二度目にアクティブにすることは、このポイントの一時的な再生を可能にする。ディスク・ジョッキーは、ジョグ・ホイール２４を使用することにより、キュー・ポイントを簡単に編集することができる。ディスク・ジョッキーがジョグ・ホイール２４を回転するときに、メディア・トラックは、再生する。ジョグ・ホイール２４を停止させること、および再生制御部３０をアクティブにすることにより、新しいキュー・ポイントが、設定される。ジョグ・ホイール２４は、ジョグ・ホイール２４のファンクションと、現在再生しているメディア・トラックのビートに応じて様々なパターンで点灯することができるＬＥＤ２５のリングによって取り囲まれる。
【００１６】
イジェクト制御部３６が、さらに含まれている。イジェクト制御部３６をアクティブにすることは、光ドライブ２２に現在ロードされている光メディアを、それがもしあれば、イジェクトする。光メディア上のメディア・トラックが、現在メディア・プレーヤによって再生されている場合、この制御部３６は、効果を有してはいない。複合メディア・プレーヤ１０が、以下でさらに詳細に説明されるＵＳＢマスタ・モードにある場合、イジェクト制御部３６をアクティブにすることにより、ディスク・ジョッキーは、ＵＳＢポート９２の１つに接続されたＵＳＢデバイス（図示されず）を安全に取り外すことができるようになる。
【００１７】
ブレーキ調整ノブ３８と、開始時間調整ノブ４０が、さらに含まれている。これらのノブ３８、４０を使用して、再生制御部３０がアクティブにされるときにメディア・トラックが再生を開始する速度、あるいは一時停止制御部３２がアクティブにされるときにメディア・トラックが停止する速度をそれぞれ調整する。
【００１８】
ブリープ／リバース・スイッチ４２が、さらに含まれている。ブリープ／リバース・スイッチ４２により、複合メディア・プレーヤ１０は、２つのモード、「ブリープ」モードおよびリバース・モードのうちの一方でメディア・トラックを逆方向に再生することができるようになる。「ブリープ」モードにおいては、メディア・トラックは、メディアが正常に進み続ける間に逆方向に再生することになる。ディスク・ジョッキーがスイッチ４２を解放するときに、メディア・トラックは、それが、ディスク・ジョッキーがそのスイッチを入れなかった場合にそうであったであろう場所で再生することを続ける。「リバース」モードにおいては、メディア・トラックは、本当に逆方向に再生する。ディスク・ジョッキーがスイッチ４２を解放した後に、メディア・トラックは、「リバース」モード再生が終了した場所から順方向再生を再開する。
【００１９】
スクラッチ制御部４４が、さらに含まれている。スクラッチ制御部４４は、それぞれスクラッチ・モードをオンまたはオフにする。スクラッチ・モードがオンである場合、スクラッチ制御部４４は、点灯することになり、そしてジョグ・ホイール２４の内側部分２８により、ディスク・ジョッキーは、ジョグ・ホイール２４の内側部分２８が回転させられるときに、まるでそれがターンテーブルであるかのようにメディア・トラックに対してスクラッチのような効果を適用することができるようになる。スクラッチ・モードがオフである場合には、ジョグ・ホイール２４の内側部分２８は、それが回転させられるときにピッチ・ベンドとして機能する。
【００２０】
タップ制御部４６が、さらに含まれている。メディア・トラックのビートに合わせてタップ制御部４６をアクティブにすることは、ビルト・イン・ビート・パー・ミニュット（「ＢＰＭ」）カウンタが、メディア・トラックの適切なテンポを検出することを助ける。タップ制御部４６をアクティブにし、約２秒にわたってホールドすることは、ＢＰＭカウンタがリセットし、再計算するようにする。
【００２１】
Ｆ／Ｘセレクタ・スイッチ４８が、さらに含まれている。このトグルスイッチ４８を使用して、メディア・トラックに適用すべき様々なあらかじめプログラムされた効果から選択し、これについてはさらに以下で説明される。
【００２２】
Ｆ／Ｘ制御部５０が、さらに含まれている。Ｆ／Ｘ制御部５０をアクティブにすることは、Ｆ／Ｘセレクタ・スイッチ４８の効果モードをオンまたはオフにする。Ｆ／Ｘ制御部５０が点灯する場合、効果モードは、オンである。
【００２３】
ウェット／ドライ・フェーダ制御部５２が、さらに含まれている。ウェット／ドライ・フェーダ制御部５２は、効果のどれだけ多くが、出力を介して経路指定されるメディア・トラックの最終混合物に混合されるかを調整する。フェーダ制御部の０％側または「ドライ」側は、引き起こされたメディア・トラックより少ないもの、そして元のメディア・トラックよりも多いものを可能にするが、フェーダ制御部の１００％側または「ウェット」側は、引き起こされたメディア・トラックよりも多いものを、そして元のメディア・トラックよりも少ないものを最終混合物に追加する。
【００２４】
パラメータ・ノブ５４は、Ｆ／Ｘ制御部５０とＦ／Ｘセレクタ・スイッチ４８と一緒に機能している。パラメータ・ノブ５４は、Ｆ／Ｘセレクタ・スイッチ４８とＦ／Ｘ制御部５０の設定に応じて複数の効果を有する。デフォルトで、パラメータ・ノブ５４を回転させることは、Ｆ／Ｘセレクタ・スイッチ４８を用いて現在選択されている効果のパラメータを調整する。Ｆ／Ｘセレクタ・スイッチ４８を使用して、望ましい効果を選択する。Ｆ／Ｘ制御部５０は、Ｆ／Ｘセレクタ・スイッチ４８をアクティブにし、そして非アクティブにする。ウェット／ドライ・フェーダ制御部５２を使用して、混合物における効果の存在を調整する。ほとんどの効果は、パラメータ・ノブを回転させながらパラメータ・ノブ５４をホールドダウンすることによりＢＰＭカウンタの比に同期させることができ、あるいはパラメータ・ノブをホールドダウンすることなしにパラメータ・ノブ５４を回転させることにより、手動で制御することができる。
【００２５】
使用可能な６つの特別な効果が存在する。第１の効果は、特定の周波数の音楽だけをユーザに再生させる分離（帯域通過）フィルタである。パラメータ・ノブ５４の回転は、フィルタ周波数を移動させる。パラメータ・ノブ５４を回転させながらパラメータ・ノブ５４を押し下げることは、周波数に対する粗調整を実行する。パラメータ・ノブ５４を下にホールドせずにパラメータ・ノブ５４をただ回転させることは、フィルタ周波数の微調整を実行する。
【００２６】
第２の特別な効果は、エコーであり、このエコーは、リバーブ効果を生成する。エコーのレートは、パラメータ・ノブ５４を用いて調整することができる。パラメータリブ５４を回転させながらパラメータ・ノブ５４を下にホールドすることにより、ユーザは、ＢＰＭカウンタの比にその効果を同期させることができるようになる。
【００２７】
第３の特別な効果は、チョップであり、このチョップは、音楽を伴う時にミュート・ボタンをオンおよびオフにすることをシミュレートする。その効果の速度は、パラメータ・ノブ５４を回転させることにより制御され、パラメータ・ノブ５４を回転させながらパラメータ・ノブ５４を押し下げることにより、ＢＰＭカウンタの比に同期させることもできる。
【００２８】
第４の特別な効果は、パンであり、このパンは、ＢＰＭカウンタのテンポ、または手動で選択された速度のいずれかに基づいて右側のスピーカ・チャネル、次いで左側のスピーカ・チャネルを再生することを交互に行う。レートを設定するためには、パラメータ・ノブ５４を回転させる。ＢＰＭカウンタの比に対してその効果の速度を同期させることは、パラメータ・ノブ５４を回転させながらパラメータ・ノブ５４を押し下げることにより達成することができる。
【００２９】
第５の特別な効果は、フェイザーであり、このフェイザーは、スイーピング位相シフタ効果をメディア・トラックに対して適用する。フェイザーは、フェイザーがエンハーモニックであり、より多くの「スウッシング」サウンドを有することを除いて、下記に説明されるフランジャ効果に類似している。この効果の速度は、パラメータ・ノブ５４を回転させることにより制御され、ノブ５４を回転させながらノブ５４を押し下げることによりＢＰＭカウンタの比に同期させることもできる。
【００３０】
第６の特別な効果は、フランジャであり、このフランジャは、頭上を通過するジェット・エンジンを連想させる、フェイザーよりも顕著なハーモニック・サウンドを伴うスイーピング効果を引き起こす。その効果の速度は、パラメータ・ノブ５４を回転させることにより制御され、ノブ５４を回転させながらノブ５４を押し下げることによりＢＰＭカウンタの比に同期させることもできる。他の設定は、パラメータ・ノブ５４を回転させながら適切なボタンを下にホールドすることにより調整することができる。
【００３１】
時間制御部５６が、さらに含まれている。時間制御部５６は、ディスプレイ２０をトグルさせて、経過時間、現在のメディア・トラック上に残っている時間、あるいは全体の再生順序のうちの残っている時間を示す。
【００３２】
プログラム制御部５８が、さらに含まれている。プログラム制御部５８は、光ドライブ２２にロードされる現在のメディアの再生順序または「プログラム」を指定するために使用される。プログラム制御部５８をアクティブにすることにより、プログラム・モードに入る。次いで、ディスク・ジョッキーは、トラック選択ノブ６０を操作して、そのプログラムについての第１の歌を選択する。プログラム制御部５８は、そのメディアに記憶するために再びアクティブにされる。これらのステップを同じ方法で反復して、完全なプログラムをアセンブルする。再生制御部３０をアクティブにすることにより、ユーザがプログラムについて選択した順序で、選択されたメディア・トラックを再生することが開始される。パラメータ・ノブ５４を回転させながらプログラム制御部５８をアクティブにすること、およびホールドすることは、メニュー・オプションのリストを呼び出す。
【００３３】
第１のオプションは、５つのユーザ選択可能設定（オン、オフ、１ｓ、２ｓ、３ｓ）を含む次トラック・フェード時間オプションである。このオプションにより、ディスク・ジョッキーは、１つのメディア・トラックから次のメディア・トラックへと自動的にフェードさせることができるようになる。このオプションをオンにした後に、ディスク・ジョッキーは、パラメータ選択ノブ５４を使用して約１秒から３秒までの望ましいフェード時間を入力するように促される。
【００３４】
第２のオプションは、スクラッチ遅延オプションであり、このスクラッチ遅延オプションは、ジョグ・ホイール２４をスクラッチ・モードで解放するときにスクラッチ効果をメディア・トラックに対して適用することに対してわずかな遅延、または瞬間的な遅延をアクティブにする。
【００３５】
第３のオプションは、リモート・スタート・オプションであり、このリモート・スタート・オプションは、複合メディア・プレーヤ１０が、リモート・スタート・ケーブル（図示されず）を使用して別のデバイスによって開始されることを可能にする。
【００３６】
第４のオプションは、パワーオン再生オプションであり、このパワーオン再生オプションは、パワーが複合メディア・プレーヤ１０に対してオンにされるとすぐに、光ディスク・プレーヤ２２が再生することを開始するようにさせる。
【００３７】
第５のオプションは、メモ・オール・クリア・オプションであり、このメモ・オール・クリア・オプションは、すべての記憶されたキュー・ポイントと、以前に記憶され、または設定されたループ・ポイント情報とをクリアする。
【００３８】
第６のオプションは、スリープ・モードであり、このスリープ・モードは、入れられるときに、約２、３分の非アクティビティの後に複合メディア・プレーヤ１０を「スリープ」状態にする。
【００３９】
第７のオプションは、プリセット・クリアであり、このプリセット・クリアは、すべてのグローバル・パラメータをそれらのデフォルト設定へとリセットする。
【００４０】
第８のオプションとして、ファームウェア・バージョン番号は、プログラム制御部５８を同時にアクティブにし、ホールドしながらパラメータ・ノブ５４を押すことにより表示することもできる。
【００４１】
第９のオプションは、パワーオン・デモであり、このパワーオン・デモにおいては、このオプションがオンであるときに、複合メディア・プレーヤは、「デモ・モード」で動作し、ここでは、ジョグ・ホイールＬＥＤ２５は、そのユニットがパワーオンされるとすぐにあるパターンで点灯する。
【００４２】
ソース制御部６２が、さらに含まれている。メディア・トラックのソースは、入力ソースを選択するために同時にパラメータ・ノブ５４を回転させながら、ソース制御部６２をアクティブにすること、およびホールドすることにより選択することができる。とりわけ、光ディスク・ドライブ２２、ＵＳＢポート９２に接続された光デバイス、あるいは複合メディア・プレーヤ１０は、さらに下記に説明されるコンピュータ・コントローラ・モードに入れることができる。しかしながら、複合メディア・プレーヤ１０が、現在メディア・トラックを再生している場合には、ソース制御部６２は、機能しない。
【００４３】
リコール／リストア制御部６４が、さらに含まれている。約２秒にわたってリコール／リストア制御部６４をアクティブにすること、およびホールドすることにより、キュー・ポイントを特定の光ディスクのメディア・トラックについて記憶することが可能になる。光ディスクについて複数のキューの組を記憶することができる。キューの組は、光ディスクについて順次に番号づけられる。記憶されたキュー・ポイントを有する光ディスクが挿入されるときに、ディスプレイは、プリセットされた「使用可能なキュー・ポイント」が存在することを指し示すことになる。記憶されたキュー・ポイントを呼び戻すために、ディスク・ジョッキーは、リコール／リストア制御部６４をアクティブにする。キュー・ポイントの複数の組が特定の光ディスクについて保存されている場合、ディスク・ジョッキーは、パラメータ・ノブ５４を使用して、記憶されたキューの組を循環させ、そして望ましいキューの組を選択することができる。
【００４４】
バック制御部６６が、さらに含まれている。フォルダを用いて構成されたファイル・システムを含むＵＳＢポート９２のうちの１つに接続された光ディスク・ドライブ２２にロードされた光ディスク、あるいはストレージ・デバイスをナビゲートするときに、バック制御部６６は、ディスク・ジョッキーが以前のレベル（またはフォルダ）へと、あちこちにナビゲートすることを可能にする。
【００４５】
再生モード制御部６８が、さらに含まれている。再生モード制御部６８は、４つのプレーバック・モードのうちの１つを設定する。シングル・モードは、選択されたメディア・トラックを再生し、次いで一時停止し、次のトラックにキューを行う。シングル／リプレイ・モードは、手動で停止されるまで、現在の歌を反復する。ランダム・モードは、光ディスク・ドライブ２２にロードされた光ディスク上のすべてのメディア・トラックをランダムな順序で再生する。連続再生モードは、光ディスク・ドライブ２２にロードされた光ディスク上のすべての歌を順番に再生し、次いでその先頭から再生を反復する。
【００４６】
トラック選択ノブ６０が、さらに含まれている。トラック選択ノブ６０は、メディア・トラックからメディア・トラックへと、スキップするために、そしてフォルダ・ナビゲーションのために、また「エンター」ボタンとして使用される。
【００４７】
シフト制御部７０が、さらに含まれている。シフト制御部７０は、さらに下記に説明される、複合メディア・プレーヤ１０のループする機能と共に使用される。シフト制御部７０により、ディスク・ジョッキーは、ループを半分にカットし、あるいはループを二重にすることができるようになる。スマート・ループ機能がオンである場合には、しかしながら１ビートの最小の長さが必要とされる。
【００４８】
１組のループ制御が、さらに含まれている。とりわけ、ループ・イン制御部７２、ループ・アウト制御部７４、およびリループ制御部７６が、提供される。これらのボタン７２、７４、７６は、開始ループ・ポイントおよび終了ループ・ポイント（ループ・インおよびループ・アウト）を定義するために、あるいは以前に定義されたループをリプレイし、または再開する（リループ）ために使用される。
【００４９】
デフォルトで、「ループ・イン」ポイントは、メディア・トラックの先頭に自動的に設定される。メディア・トラック内に新しい「ループ・イン」ポイントを定義するために、メディア・トラックが望ましいポイントに到達するときに、ループ・イン制御部７２をアクティブにする。ループ・イン制御部７２におけるインジケータが、新しい「ループ・イン」ポイントが設定されていることを指し示して、点灯することになる。リループ制御部７６におけるインジケータはまた、ディスク・ジョッキーがそれをアクティブにして、直ちに「ループ・イン」ポイントに戻ることができることを指し示して、点灯することにもなる。ループ・イン・ポイントは、この場合にもループ・イン制御部７２をアクティブにすることにより、変更することができる。
【００５０】
メディア・トラックが再生している間に、最初にループ・アウト制御部７４をアクティブにすることは、ループ・アウト制御部７４におけるインジケータがブリンクするようにさせ、複合メディア・プレーヤ１０が、「ループ・イン」ポイントから出発して、「ループ・アウト」ポイントにおいて終了するシームレス・ループにおいてメディア・トラックを再生するようにさせる。ループを解放し、または終了するために、ループ・アウト制御部７４は、二度目にアクティブにすることができる。メディア・トラックが以前に設定されたループ・アウト・ポイントを通過するときに、再生は、順方向に再開される。ループ・アウト制御部７４におけるインジケータは、ループが、今やリループする目的のためにメモリの中にあることを指し示して、連続して点灯したままになる。
【００５１】
リループ制御部７６をアクティブにすることは、（反復してタップされる場合に）ループ・イン・ポイントから再生を反復し、あるいは「スタッタする」。ループが以前に設定されている場合、それは、ループが、ループ・アウト制御部７４をアクティブにすることによって解放されるまで、そのループを再生し、反復する。
【００５２】
１組の３つのトリガ・ボタン７８が、さらに含まれている。これらのボタン７８は、３つのユーザ選択可能モードのために使用され、レコード・ボタン８０をホールドすること、およびパラメータ・ノブ５４を回転させることにより選択される。さらに、レコード・ボタン８０は、サンプルを記録し、ホット・スタート・ポイントを設定するために３つの割当て可能なトリガ・ボタンと一緒に使用される。モード・ボタン８２を押すことにより、３つのトリガ・ボタン７８についての望ましいモードも変更することができる。とりわけ、それらのモードは、ＬＯＯＰ−２と、ＨＯＴ  ＣＵＥと、ＳＡＭＰＬＥとの間で循環することができる。
【００５３】
ＬＯＯＰ−２モードにおいて、３つのトリガ・ボタン７８は、上記に以上で説明されるループ制御部と同様に振る舞う別の組のループ・ボタンとしての役割を果たす。これは、ディスク・ジョッキーに２つの完全に別個の組のループ・ポイントを設定する能力を与える。
【００５４】
ＨＯＴ  ＣＵＥモードにおいては、各トリガ・ボタン７８についてそれぞれ１つの、３つまでの「ホット・キュー・ポイント」を設定することができる。これらは、トリガ・ボタン７８が押されるときに、複合メディア・プレーヤ１０が、直ちに定義済みのホット・キュー・ポイントへとジャンプし、再生を開始することを除いて、通常のキュー・ポイントと類似している。
【００５５】
ホット・キュー・ポイントを定義するために、レコーディングの準備を行うためにレコード・ボタン８０をアクティブにし、次いで望ましいトリガ・ボタン７８を押す。複合メディア・プレーヤ１０は、そのポイントから前方へメディア・トラックを記録し、その特定のトリガ・ボタン７８に接続されたメモリ・バッファに対してそのメディア・トラックを割り当てる。レコーディングを終了し、直ちにホット・キュー・ポイントから再生することを開始するために、ディスク・ジョッキーは、この場合にも同じトリガ・ボタン７８をただ押すだけである。
【００５６】
ＳＡＭＰＬＥモードにおいては、約５秒の長さまでのオーディオ・サンプルを、３つのトリガ・ボタン７８のおのおのの上で記録することができる。
【００５７】
サンプルを記録するために、レコード・ボタン８０を押し、そして解放して、レコーディングの準備を行い、次いで３つのトリガ・ボタン７８のうちの１つを押す。次いで、複合メディア・プレーヤ１０は、選択されたトリガ・ボタン７８が再び押されて、レコーディングを停止するか、あるいはバッファが、サンプル・スペースを使い果たすかのいずれかまで、レコーディングを開始する。
【００５８】
サンプルをプレーバックするために、適切なトリガ・ボタン７８が押される。それらに割り当てられたサンプルを有するボタン７８は、点灯したインジケータを有するのに対して、割り当てられていないトリガ・ボタン７８では、インジケータは、暗いままである。
【００５９】
ユーザが３つのサンプル・トリガ・ボタン７８のおのおのについて選択することができる３つのプレーバック・オプションも存在する。モードを選択するために、ディスク・ジョッキーは、同時にパラメータ・ノブ５４を回転させて、望ましいオプションを選択しながら、レコード・ボタン８０および望ましいトリガ・ボタン７８を押し、そしてホールドする。選択されたオプションを修正するために、ディスク・ジョッキーは、パラメータ・ノブ５４を押し下げ、そして解放し、次いでパラメータ・ノブ５４を望ましい設定値まで回転させる。もう一度パラメータ・ノブ５４を押し下げることにより、そのオプション選択へとロックされる。
【００６０】
第１のサンプル・オプションは、サンプル・インサートであり、このサンプル・インサートは、サンプルが現在再生しているメディア・トラック・ソースをオーバーライドすることになるかどうか、あるいはそのサンプルが現在再生しているメディア・トラック・ソースと一緒に混合されることになるかどうかを決定する。サンプル・インサート・オプションが「オン」では、サンプルは、再生しているメディア・トラックをオーバーライドすることになるが、「オフ」では、サンプルは、再生しているメディア・トラックと混合されることになる。
【００６１】
第２のオプションは、サンプル・リバースであり、このサンプル・リバースは、オンであるときに、サンプルを逆順に再生する。
【００６２】
第３のオプションは、ミックス・バリューであり、このミックス・バリューは、０〜１００の設定値を含んでいる。この設定値は、プレーバックされるときにサンプルのボリュームを制御する。
【００６３】
サーチ制御部８４が、さらに含まれている。入れられるときに、複合メディア・プレーヤ１０は、サーチ・モードに置かれ、このサーチ・モードにより、ジョグ・ホイール２４の内側部分２８を使用して、現在のトラックを介して速くスキャンすることができるようになる。ジョグ・ホイール２４が約１０秒にわたってタッチされない場合、サーチ・モードは、自動的に終了することになる。サーチ速度は、サーチ制御部８４をアクティブにすること、およびホールドすることと、パラメータ・ノブ５４を回転させることにより、調整することができる。
【００６４】
ピッチ・フェーダ８６が、さらに含まれており、このピッチ・フェーダは、メディア・トラックの速度を制御するために使用される。ピッチ・フェーダ８６を「＋」に向かって移動させることは、メディア・トラックのテンポをスピードアップさせるが、「−」に向かって移動させることは、そのテンポをスローダウンさせる。ピッチ調整のパーセンテージは、ディスプレイ２０上に示される。
【００６５】
ピッチ／キーロック・ボタン８８が、さらに含まれている。ピッチ／キーロック・ボタン８８は、キーロック・モードをイネーブルすること、およびディスエーブルすることと同様にピッチ・フェーダ８６の範囲を制御する。ピッチ／キーロック・ボタン８８を押すこと、および解放することは、＋／−６％、１２％、２５％および１００％のピッチ・フェーダ８６の設定値を巡回させる。ピッチ・フェーダ８６は、１００％を選択した後に、もう一度ピッチ／キーロック・ボタン８８を押すことによりディスエーブルすることができ、これは、ピッチ・フェーダを０％に効果的に設定する。キーロック・モードを入れるために、ピッチ／キーロック・ボタン８８は、約２秒にわたってホールドされる。この機能により、メディア・トラックの速度は、キーを変化させることなく変更することができるようになる。メディア・トラックのキーは、キーロックが入れられたときにピッチ・フェーダ８６が設定されたどのようなポジションにもロックする。メディア・トラックのキーは、パラメータ・ノブ５４を回転させながら、ピッチ／キーロック・ボタン８８を押すこと、およびホールドすることにより、手動で変更することができる。
【００６６】
１対のピッチ・ベンド・ボタン９０が、さらに含まれており、このピッチ・ベンド・ボタンは、アップ・ボタン９０またはダウン・ボタン９０が、それぞれホールドされる限りは、より高速への、またはより低速へのメディア・トラックの速度に対する簡単な調整を可能にする。ピッチ・ベンド・ボタン９０は、同じテンポであるが、少し異なる拍子においてヒットするビートを有する可能性がある２つのメディア・トラックのビートをマッチングさせる助けをする高速速度調整のために有用である。
【００６７】
次に図４に示される複合メディア・プレーヤ１０のリヤ・パネル１８を参照すると、ＵＳＢ入力ポート９２が、さらに含まれている。ＵＳＢ入力ポート９２により、ＵＳＢストレージ・デバイス（図示されず）は、これらのオプショナルなＵＳＢストレージ・デバイス上に記憶されるメディア・ファイルをさらに読み取り、プレーバックするように複合メディア・プレーヤ１０に接続することができるようになる。これらのオプショナルなデバイスは、外部のハード・ディスク・ドライブと、追加の着脱可能メディア・ドライブと、ポータブル／パーソナル・メディア再生デバイスとすることができる。
【００６８】
ＵＳＢスレーブ・ポート９４が、さらに含まれており、このＵＳＢスレーブ・ポートにより、複合メディア・プレーヤは、パーソナル・コンピュータ（図示されず）に接続することができるようになる。複合メディア・プレーヤ１０は、ＵＳＢヒューマン・インターフェース・デバイス・プロトコルを使用してＵＳＢコントローラ・デバイスとして使用することができる。しかしながら、このポートは、標準シリアル・ポートとして構成することもでき、またＭＩＤＩプロトコルも実施することができる。
【００６９】
出力ポート９６が、さらに含まれている。出力ポート９６は、複合メディア・プレーヤ１０が、ＲＣＡ回線レベル接続を受け入れるように設計されるスピーカ・システムに、あるいは任意のデバイスに接続されることを可能にする１対のＲＣＡジャックであることが好ましい。
【００７０】
デジタル出力ポート９８が、さらに含まれている。デジタル出力ポート９８は、デジタル信号が、Ｓ／ＰＤＩＦ（ソニー／フィリップス・デジタル・インターフェース・フォーマット（Ｓｏｎｙ／Ｐｈｉｌｌｉｐｓ  Ｄｉｇｉｔａｌ  Ｉｎｔｅｒｆａｃｅ  Ｆｏｒｍａｔ））信号を受け入れるように設計されたデバイスに送られることを可能にするＲＣＡタイプ・コネクタであることも好ましい。デジタル出力ポート９８は、カラオケ・デコーダに接続されて、ＣＤ＋Ｇ互換ディスクからグラフィックスを再生成することもできる。
【００７１】
フェーダ・スタート・コネクタ１００が、さらに含まれている。このコネクタ１００は、フェーダ・スタート互換のミキサまたはリモート・スイッチへとプラグするために使用される。フェーダ・スタート互換ミキサ上のクロスフェーダが、複合メディア・プレーヤ１０がオンである側に移動されるたびごとに、複合メディア・プレーヤは、再生することを開始することになる。フェーダがその側からひき離されるときには、複合メディア・プレーヤ１０は、再生することを停止する。フットスイッチはまた、創造的ミキシング技法のために、このコネクタ１００に取り付けることもできる。複合メディア・プレーヤ１０と一緒に機能することになる２つのタイプのフットスイッチが存在する。第１は、典型的なオン／オフ・プッシュボタン・スイッチであり、一般にギター増幅器上でチャネルをスイッチングするために使用される。第２のタイプは、キーボード・サステイン・ペダルとして一般的に使用されるモーメンタリ・フットスイッチである。
【００７２】
リレー・コネクタ１０２が、さらに含まれており、このリレー・コネクタにより、２つの互換メディア・プレーヤ１０は、メディア・トラックが、それぞれの各プレーヤ１０上で終了するときに、一方のユニットから他方のユニットへ、そして逆へと再生を交互に行うことができるようになる。リレー・モードは、モード・ボタン６８を保持すること、およびパラメータ・ノブ５４を望ましい設定値まで回転させることにより、オンおよびオフに変化させることができる。
【００７３】
リヤ・パネル１８は、スタンダード・パワー・プラグ・コネクタ１０４と、複合メディア・プレーヤ１０をオンおよびオフにするパワー・ボタン１０６とを含んでもいる。
【００７４】
様々なコネクタ、ノブ、ボタンおよびスライダが指し示されることを理解すべきである。しかしながら、これらは、これらは、好ましいコンフィギュレーションであり、他のコンフィギュレーションも、本発明により、考慮されている。例えば、ＵＳＢ接続が好ましいが、ＩＥＥＥ−１３９４（ファイヤワイヤまたはｉＬｉｎｋとしても知られている）接続を使用することも可能である。同様に、ＲＣＡコネクタが好ましいが、例えば、光接続も使用することができる。スライダがフェーディングするためには好ましいが、そのようなオペレーションは、ノブによって実行することもできる。
【００７５】
すべての制御部は、中央内部マイクロプロセッサによって中央集中して動作させられる。マイクロプロセッサは、ハウジング１２の中に存在し、メディア・ファイルの処理を取り扱う。複合メディア・プレーヤ１０のハウジングの上面１４上の制御部は、マイクロプロセッサに電気的に相互接続される。同様に、マイクロプロセッサは、内部光ドライブ２２に電気的に接続され、その内部光ドライブを制御する。１つまたは複数（複数のものが接続される場合）のメディア・ストレージ・デバイスはまた、ハウジング１２のリヤ・パネル１８上に設けられたＵＳＢポート９２または他の相互接続を介してマイクロプロセッサに電気的に相互接続される。
【００７６】
したがって、本発明は、ディスク・ジョッキーによって動作させることが簡単である、ディスク・ジョッキーのための複合メディア・プレーヤおよびコンピュータ・コントローラを提供する問題に対する固有のソリューションを提供し、そしてディスク・ジョッキーが実行するときに慣れ、頼みにするようになっている制御部および特徴の多くを含んでいることを理解することができる。
【００７７】
様々な変更および修正は、本発明の精神を逸脱することなく、例示の実施形態に対して行うことができることが、当業者により理解されるであろう。すべてのそのような修正および変更は、添付の特許請求の範囲の範囲によって限定される場合を除き、本発明の範囲内に含まれるように意図される。
【図面の簡単な説明】
【００７８】
【図１】本発明の装置の好ましい実施形態の斜視図である。
【図２】本発明の装置の好ましい実施形態の平面図である。
【図３】本発明の装置の好ましい実施形態の正面図である。
【図４】本発明の装置の好ましい実施形態の背面図である。
【図１】
2009531809.tif 000003
【図２】
2009531809.tif 000004
【図３】
2009531809.tif 000005
【図４】
2009531809.tif 000006
【国際調査報告】
2009531809.tif 000007